(57)【要約】【課題】テレビジョン（ＴＶ）放送，ＦＭ放送を受信可能なチューナモジュールと電子機器を提供する。【解決手段】ＴＶ放送信号，ＦＭ放送信号を基に中間周波信号を生成する高周波回路１１と、映像中間周波信号，第１の音声中間周波信号を端子Ｔ５に出力し、第１の音声中間周波信号を端子Ｔ６に出力するフィルタ１３と、中間周波回路１２には、第１，第２発振信号を生成する発振回路１２２，１２６と、第１の発振信号を基に端子Ｔ５を介した信号を検波して映像信号，第２の音声中間周波信号を生成する映像検波器１２１と、第２の発振信号を基に端子Ｔ６を介した第１の音声中間周波信号を第２の音声中間周波信号に変換するＦＭ混合器１２５と、ＴＶ放送信号受信，ＦＭ放送信号受信に応じて、映像検波器１２１またはＦＭ混合器１２５からの第２の音声中間周波信号を出力するスイッチ１２７と、第２の音声中間周波信号を検波するＦＭ検波器１２９とを設ける。【選択図】図１
2005277912.tif 000002
【特許請求の範囲】
【請求項１】
テレビジョン放送信号またはＦＭ放送信号を基に中間周波信号を生成する高周波回路と、
前記テレビジョン放送信号受信時には、前記高周波回路が生成した中間周波信号のうち映像中間周波信号および第１の音声中間周波信号を第１の端子に出力し、ＦＭ放送信号受信時には、前記中間周波信号のうち第１の音声中間周波信号を第２の端子に出力するフィルタと、
前記テレビジョン放送信号検波用の第１の発振信号を生成する第１の発振回路と、
前記第１の発振回路が生成した第１の発振信号を基に、前記フィルタから前記第１の端子を介して出力された、前記映像中間周波信号および第１の音声中間周波信号に第１の検波処理を施して、映像信号および第２の音声中間周波信号を生成する第１の検波回路と、
前記ＦＭ放送信号検波用の第２の発振信号を生成する第２の発振回路と、
前記第２の発振回路が生成した第２の発振信号を基に、前記フィルタから前記第２の端子を介して出力された前記第１の音声中間周波信号を第２の音声中間周波信号に変換する変換回路と、
前記テレビジョン放送信号受信時には、前記第１の検波回路が生成した第２の音声中間周波信号を出力し、ＦＭ放送信号受信時には、前記変換回路から出力された第２の音声中間周波信号を出力する切替回路と、
前記切替回路から出力された前記第２の音声中間周波信号に第２の検波処理を施して音声信号を生成する第２の検波回路と
を有するチューナモジュール。
【請求項２】
前記高周波回路は、前記ＦＭ放送信号または前記テレビジョン放送信号を基に、当該ＦＭ放送信号およびテレビジョン放送信号よりも高い周波数の第１の中間周波信号に変換し、前記第１の中間周波信号にイメージ除去処理を施して、前記第１の中間周波信号よりも低い周波数の第２の中間周波信号を生成し、
前記フィルタは、前記テレビジョン放送信号受信時には、前記高周波回路が生成した第２の中間周波信号のうち映像中間周波信号および第１の音声中間周波信号を第１の端子に出力し、ＦＭ放送信号受信時には、前記第２の中間周波信号のうち第１の音声中間周波信号を第２の端子に出力する
請求項１に記載のチューナモジュール。
【請求項３】
前記第１の発振回路、前記第１の検波回路、前記第２の発振回路、前記変換回路、前記第２の検波回路、および前記切替回路のうち、少なくとも２つの回路は、１チップに集積化されている
請求項１に記載のチューナモジュール。
【請求項４】
チューナモジュールを含む電子機器であって、
前記チューナモジュールは、
テレビジョン放送信号またはＦＭ放送信号を基に中間周波信号を生成する高周波回路と、
前記テレビジョン放送信号受信時には、前記高周波回路が生成した中間周波信号のうち映像中間周波信号および第１の音声中間周波信号を第１の端子に出力し、ＦＭ放送信号受信時には、前記中間周波信号のうち第１の音声中間周波信号を第２の端子に出力するフィルタと、
前記テレビジョン放送信号検波用の第１の発振信号を生成する第１の発振回路と、
前記第１の発振回路が生成した第１の発振信号を基に、前記フィルタから前記第１の端子を介して出力された、前記映像中間周波信号および第１の音声中間周波信号に第１の検波処理を施して、映像信号および第２の音声中間周波信号を生成する第１の検波回路と、
前記ＦＭ放送信号検波用の第２の発振信号を生成する第２の発振回路と、
前記第２の発振回路が生成した第２の発振信号を基に、前記フィルタから前記第２の端子を介して出力された前記第１の音声中間周波信号を第２の音声中間周波信号に変換する変換回路と、
前記テレビジョン放送信号受信時には、前記第１の検波回路が生成した第２の音声中間周波信号を出力し、ＦＭ放送信号受信時には、前記変換回路から出力された第２の音声中間周波信号を出力する切替回路と、
前記切替回路から出力された前記第２の音声中間周波信号に第２の検波処理を施して音声信号を生成する第２の検波回路と
を有する電子機器。
【請求項５】
前記高周波回路は、前記ＦＭ放送信号または前記テレビジョン放送信号を基に、当該ＦＭ放送信号およびテレビジョン放送信号よりも高い周波数の第１の中間周波信号に変換し、前記第１の中間周波信号にイメージ除去処理を施して、前記第１の中間周波信号よりも低い周波数の第２の中間周波信号を生成し、
前記フィルタは、前記テレビジョン放送信号受信時には、前記高周波回路が生成した第２の中間周波信号のうち映像中間周波信号および第１の音声中間周波信号を第１の端子に出力し、ＦＭ放送信号受信時には、前記第２の中間周波信号のうち第１の音声中間周波信号を第２の端子に出力する
請求項４に記載の電子機器。
【請求項６】
前記第１の発振回路、前記第１の検波回路、前記第２の発振回路、前記変換回路、前記第２の検波回路、および前記切替回路のうち、少なくとも２つの回路は、１チップに集積化されている
請求項４に記載の電子機器。
【発明の詳細な説明】
【技術分野】
【０００１】
本発明は、例えば、テレビジョン（ＴＶ）放送信号およびＦＭ（周波数変調）ラジオ放送信号等を受信するチューナモジュール、および電子機器に関するものである。
【背景技術】
【０００２】
テレビジョン放送信号受信装置には、テレビジョン放送信号の映像や音声を受信するチューナモジュールが受信装置内に備えられている。また、ＦＭ放送信号受信装置には、ＦＭラジオ放送信号（ＦＭ放送信号ともいう）を受信するチューナ受信回路やチューナモジュールが備えられている。
【０００３】
近年、ＴＶ放送受信装置において、ＦＭ放送信号も受信可能な受信装置が知られている（例えば、特許文献１参照）。
また、ＦＭ放送受信装置において、テレビジョン放送信号も受信可能な受信装置が知られているが、テレビジョン放送信号の音声信号を受信する機能のみで映像信号の受信機能はない。
【特許文献１】特開平７−１６２７７１号公報
【発明の開示】
【発明が解決しようとする課題】
【０００４】
ところで、携帯電話等の小型のモバイル装置でもテレビ放送信号とＦＭラジオ放送信号を受信したいという要望がある。
このため、テレビジョン放送信号中の映像信号および音声信号、ならびにＦＭ放送信号の音声信号を出力でき、携帯電話等の小型のモバイル装置にも搭載可能な、小型で高性能なチューナモジュールが望まれている。
【０００５】
本発明は、かかる事情に鑑みてなされたものであり、その目的は、テレビジョン放送信号とＦＭ放送信号の両方の放送電波信号を受信可能で、より小型で高性能なチューナモジュール、および電子機器を提供することにある。
【課題を解決するための手段】
【０００６】
前記目的を達成するために、本発明の第１の観点のチューナモジュールは、テレビジョン放送信号またはＦＭ放送信号を基に中間周波信号を生成する高周波回路と、前記テレビジョン放送信号受信時には、前記高周波回路が生成した中間周波信号のうち映像中間周波信号および第１の音声中間周波信号を第１の端子に出力し、ＦＭ放送信号受信時には、前記中間周波信号のうち第１の音声中間周波信号を第２の端子に出力するフィルタと、前記テレビジョン放送信号検波用の第１の発振信号を生成する第１の発振回路と、前記第１の発振回路が生成した第１の発振信号を基に、前記フィルタから前記第１の端子を介して出力された、前記映像中間周波信号および第１の音声中間周波信号に第１の検波処理を施して、映像信号および第２の音声中間周波信号を生成する第１の検波回路と、前記ＦＭ放送信号検波用の第２の発振信号を生成する第２の発振回路と、前記第２の発振回路が生成した第２の発振信号を基に、前記フィルタから前記第２の端子を介して出力された前記第１の音声中間周波信号を第２の音声中間周波信号に変換する変換回路と、前記テレビジョン放送信号受信時には、前記第１の検波回路が生成した第２の音声中間周波信号を出力し、ＦＭ放送信号受信時には、前記変換回路から出力された第２の音声中間周波信号を出力する切替回路と、前記切替回路から出力された前記第２の音声中間周波信号に第２の検波処理を施して音声信号を生成する第２の検波回路とを有する。
【０００７】
さらに、前記目的を達成するために、本発明の第２の観点の電子機器は、チューナモジュールを含む電子機器であって、前記チューナモジュールは、テレビジョン放送信号またはＦＭ放送信号を基に中間周波信号を生成する高周波回路と、前記ＴＶ放送信号受信時には、前記高周波回路が生成した中間周波信号のうち映像中間周波信号および第１の音声中間周波信号を第１の端子に出力し、ＦＭ放送信号受信時には、前記中間周波信号のうち第１の音声中間周波信号を第２の端子に出力するフィルタと、前記ＴＶ放送信号検波用の第１の発振信号を生成する第１の発振回路と、前記第１の発振回路が生成した第１の発振信号を基に、前記フィルタから前記第１の端子を介して出力された、前記映像中間周波信号および第１の音声中間周波信号に第１の検波処理を施して、映像信号および第２の音声中間周波信号を生成する第１の検波回路と、前記ＦＭ放送信号検波用の第２の発振信号を生成する第２の発振回路と、前記第２の発振回路が生成した第２の発振信号を基に、前記フィルタから前記第２の端子を介して出力された前記第１の音声中間周波信号を第２の音声中間周波信号に変換する変換回路と、前記ＴＶ放送信号受信時には、前記第１の検波回路が生成した第２の音声中間周波信号を出力し、ＦＭ放送信号受信時には、前記変換回路から出力された第２の音声中間周波信号を出力する切替回路と、前記切替回路から出力された前記第２の音声中間周波信号に第２の検波処理を施して音声信号を生成する第２の検波回路とを有する。
【０００８】
高周波回路では、ＴＶ放送信号およびＦＭ放送信号を基に中間周波信号が生成される。
フィルタは、ＴＶ放送信号受信時には、高周波回路が生成した中間周波信号のうち映像中間周波信号および第１の音声中間周波信号を第１の端子に出力し、ＦＭ放送信号受信時には、中間周波信号のうち第１の音声中間周波信号を第２の端子に出力する。
ＴＶ放送信号受信時には、第１の検波回路は、第１の発振回路が生成した第１の発振信号を基に、フィルタから第１の端子を介して出力された、映像中間周波信号および第１の音声中間周波信号に第１の検波処理を施して、映像信号および第２の音声中間周波信号を生成する。
ＦＭ放送信号受信時には、変換回路は、第２の発振回路が生成した第２の発振信号を基に、フィルタから第２の端子を介して出力された第１の音声中間周波信号を第２の音声中間周波信号に変換する。
切替回路は、ＴＶ放送信号受信時には、第１の検波回路が生成した第２の音声中間周波信号を出力し、ＦＭ放送信号受信時には、変換回路から出力された第２の音声中間周波信号を出力する。
第２の検波回路は、ＴＶ放送信号受信時およびＦＭ放送受信時に、切替回路から出力された第２の音声中間周波信号に第２の検波処理を施して音声信号を生成する。
【発明の効果】
【０００９】
本発明によれば、テレビジョン放送信号とＦＭ放送信号の両方の放送電波信号を受信可能で、より小型で高性能なチューナモジュール、および電子機器を提供することができる。
【発明を実施するための最良の形態】
【００１０】
図１は、本発明に係る電子機器のチューナモジュールの一実施形態の機能ブロック図である。
本実施形態に係る電子機器のチューナモジュール１は、高周波回路１１、中間周波回路１２、フィルタ１３を有する。
高周波回路１１と中間周波回路１２は、フィルタ１３を介して接続されている。
高周波回路１１は、本発明に係る高周波回路の一例に相当する。フィルタ１３は、本発明に係るフィルタの一例に相当する。
【００１１】
高周波回路１１は、アンテナＡＮＴで受信したＦＭラジオ放送電波およびテレビジョン放送電波に応じた、ＦＭラジオ放送信号（ＦＭ放送信号ともいう）、およびＴＶ放送信号（テレビジョン放送信号）を増幅し、中間周波信号を信号Ｓ１１として中間周波回路１２に出力する。高周波回路１１は、中間周波信号として、テレビジョン放送信号受信時およびＦＭ放送信号受信時に同一の周波数の中間周波信号を生成する。
つまり、この高周波回路１１はチューナの機能を有する。
【００１２】
また、本実施形態に係る高周波回路１１は、例えばＦＭ放送信号またはテレビジョン放送信号を基に、ＦＭ放送信号およびテレビジョン放送信号よりも高い周波数（例えばＳＨＦ帯）の第１の中間周波信号に変換し、第１の中間周波信号にイメージ除去処理を施して、第１の中間周波信号よりも低い周波数の第２の中間周波信号を生成する。
例えばＳＨＦ（Super High Frequency）帯の周波数は、１ＧＨｚ〜３０ＧＨｚ程度である。
【００１３】
中間周波回路１２は、フィルタ１３を介して入力された映像中間周波信号を映像検波して映像信号を生成し、その映像信号を出力する。また、中間周波回路１２は、フィルタ１３を介して入力された音声中間周波信号を音声検波（ＦＭ検波）して音声信号を生成し、その音声信号を出力する。
以下、各構成要素を図面を参照しながら、詳細に説明する。
【００１４】
高周波回路１１は、例えば図１に示すように、高周波増幅器１１１、第１混合器１１２、第１局部発振回路１１３、バンドパスフィルタ１１４、第２混合器１１５、第２局部発振回路１１６、および中間周波増幅器１１７を有する。
【００１５】
高周波増幅器１１１、第１混合器１１２、フィルタ１１４、第２混合器１１５、および中間周波増幅器１１７は、直列接続されている。第１混合器１１２には、第１局部発振回路１１３が接続されている。第２混合器１１５には、第２局部発振回路１１６が接続されている。
【００１６】
高周波増幅器１１１、第１混合器１１２、第１局部発振回路１１３、第２混合器１１５、第２局部発振回路１１６、中間周波増幅器１１７は、ＩＣチップ上に集積化されている。
【００１７】
高周波増幅器１１１は、例えばアンテナＡＮＴから端子Ｔ１を介して入力された、テレビジョン放送信号、またはＦＭ放送信号等のＲＦ信号を増幅して第１混合器１１２に出力する。
【００１８】
例えば本実施形態では、テレビジョン放送信号の周波数は、ＶＨＦ帯９０ＭＨｚ〜１０８ＭＨｚ（１〜３ｃｈ）、１７０ＭＨｚ〜２２２ＭＨｚ（４〜１２ｃｈ）、ＵＨＦ帯４７０ＭＨｚ〜７７０ＭＨｚ（１３〜６２ｃｈ）である。また、ＦＭ放送信号の周波数は、ＶＨＦ帯７６ＭＨｚ〜９０ＭＨｚである。
【００１９】
また、テレビジョン放送信号において、映像信号は、上述した周波数帯の映像搬送波に振幅変調（ＡＭ）を施して送信される。
また、テレビジョン放送信号において、音声信号は、上述した周波数帯の映像搬送波と異なる周波数の音声搬送波、例えば映像搬送波よりも４．５ＭＨｚ高い周波数の音声搬送波に、ＦＭ変調（Frequency Modulation：周波数変調）を施して送信される。
また、ＦＭ放送信号において、音声信号は、上述した周波数帯の搬送波に、ＦＭ変調を施して送信される。
ＦＭ変調による周波数偏移はプラスマイナス２５ｋＨｚ程度である。
【００２０】
例えば高周波増幅器１１１は、アンテナＡＮＴから入力された周波数４０ＭＨｚ〜８９０ＭＨｚ程度のＲＦ信号を増幅して第１混合器１１２に出力する。
【００２１】
第１混合器１１２は、高周波増幅器１１１が出力するＲＦ信号と、第１局部発振回路１１３が生成する発振信号に応じて、所定の周波数の第１の中間周波信号に変換し、第１の中間周波信号を端子Ｔ２を介してフィルタ１１４に出力する。
【００２２】
具体的には、第１混合器１１２は、例えば後述するように、第１局部発振回路１１３から出力された所定の周波数、例えば周波数１２６０ＭＨｚ〜２１１０ＭＨｚ程度の第１の発振信号に応じて、高周波増幅器１１１から出力された周波数４０ＭＨｚ〜８９０ＭＨｚ程度のＲＦ信号を、所定の第１の中間周波数、例えば周波数１２２０ＭＨｚの第１の中間周波信号に変換する。
【００２３】
例えば第１混合器１１２は、周波数８９０ＭＨｚのＲＦ信号を選択する場合には、第１局部発振回路１１３による発振信号の第１の基準周波数が２１１０ＭＨｚに設定され、その発振信号とＲＦ信号を減算混合して、周波数｜２１１０−８９０｜＝１２２０（ＭＨｚ）の第１の中間周波信号を出力する。この際、第１混合器１１２は、イメージの加算混合成分を除去する。
【００２４】
第１局部発振回路１１３は、上述したように高周波増幅器１１１から出力されたＲＦ信号を、第１の中間周波信号に変換するための第１の基準周波数の第１の発振信号を発振して、第１混合器１１２に出力する。
例えば、具体的には、第１局部発振回路１１３は、周波数１２６０ＭＨｚ〜２１１０ＭＨｚの第１の基準周波信号を発振可能である。
【００２５】
フィルタ１１４は、第１混合器１１２から端子Ｔ２を介して入力された第１の中間周波信号から不要な周波数成分を排除し、所望の周波数のみを通過させて、端子Ｔ３を介して第２混合器１１５に出力するバンドパスフィルタである。
例えばフィルタ１１４は、１２２０ＭＨｚ付近の周波数成分のみを通過させる。また、フィルタ１１４は、例えば上述したＩＣチップの外部に形成されている。例えばフィルタ１１４は、表面弾性波フィルタ（ＳＡＷＦ）により形成されている。
【００２６】
フィルタ１１４では、コンダクタンス成分を実現するために、例えば短い金属線等が備えられている。これは第１の中間周波信号が１２２０ＭＨｚと高く設定されているために、短い金属配線等によりコンダクタンス成分を実現することができる。このため例えば収容スペースが大きい空芯コイルを用いる必要がない。このため高周波回路１１を小型化することができる。
【００２７】
第２混合器１１５は、フィルタ１１４から出力された第１の中間周波信号を、第２局部発振回路１１６から出力された第２の発振信号に応じて、第２の中間周波信号に変換して、その第２の中間周波信号を中間周波増幅器１１７に出力する。
この際、第２混合器１１５から出力される第２の中間周波信号と、第１混合器１１２から出力される第１の中間周波信号の周波数が異なるために、第１混合器１１２の混合の際に生成される不要なイメージ、例えばＲＦ信号と第１の発振信号の和算混合成分等をさらに除去することができる。
【００２８】
第２混合器１１５は、具体的には、周波数１２２０ＭＨｚの第１の中間周波信号と、第２局部発振回路１１６から出力された第２の発振信号、例えば周波数１１６５．７５ＭＨｚの発振信号を減算混合し、周波数｜１２２０−１１６５．７５｜＝５４．２５ＭＨｚの第２の中間周波信号を出力する。
【００２９】
第２局部発振回路１１６は、上述したように第２混合器１１５に、第２の中間周波信号に変換させるための第２の発振信号を発振する。例えば第２局部発振回路１１６で発振する周波数は固定されている。
【００３０】
具体的には、第２局部発振回路１１６は、上述したように音声中間周波信号として、５４．２５ＭＨｚの第２の中間周波信号を、第２混合器１１５に出力させるために、例えば周波数１１６５．７５ＭＨｚの第２の発振信号を生成する。
【００３１】
また、例えば音声中間周波信号の周波数は日本国では５４．２５ＭＨｚ、映像中間周波信号の周波数は５８．７５ＭＨｚと規定されている。また、例えば音声中間周波信号は、米国では周波数４９．２５ＭＨｚ、欧州では３３．４ＭＨｚと規定されており、第２局部発振回路１１６は、第２混合器１１５が地域に応じた中間周波信号を生成するような周波数の発振信号を生成する。
【００３２】
中間周波増幅器１１７は、第２混合器１１５から出力された第２の中間周波信号を増幅する。また、中間周波増幅器１１７は増幅した第２の中間周波信号を端子Ｔ４を介してフィルタ１３に出力する。
【００３３】
上述したように、高周波回路１１は、テレビジョン放送信号受信時には周波数５４．２５ＭＨｚの音声中間周波信号、および周波数５８．７５ＭＨｚの映像中間周波信号を出力する。
また、高周波回路１１は、ＦＭ放送信号受信時には、周波数５４．２５ＭＨｚの音声中間周波信号を出力する。
【００３４】
フィルタ１３は、高周波回路１１から端子Ｔ４を介して出力された中間周波信号から不要な周波数成分を除去して中間周波回路１２に出力する。フィルタ１３は例えば、表面弾性波フィルタにより形成されている。
【００３５】
テレビジョン放送信号受信時には、フィルタ１３は、例えば高周波回路１１から端子Ｔ４を介して出力された中間周波信号を基に、周波数５４．２５ＭＨｚの音声中間周波信号、および周波数５８．７５ＭＨｚの映像中間周波信号を、端子Ｔ５を介して中間周波回路１２の中間周波増幅器１２０に出力する。
【００３６】
また、ＦＭ放送信号受信時には、フィルタ１３は、例えば高周波回路１１から端子Ｔ４を介して出力された中間周波信号を基に、周波数５４．２５ＭＨｚの音声中間周波信号を、端子Ｔ６を介して中間周波回路１２のＦＭ混合器１２５に出力する。
【００３７】
中間周波回路１２は、例えば図１に示すように、中間周波増幅器１２０、映像検波器１２１、発振回路１２２、フィルタ１２３、映像増幅器１２４、ＦＭ混合器１２５、ＦＭ用局部発振回路１２６、スイッチ（ＳＷ）１２７、フィルタ１２８、およびＦＭ検波器１２９を有する。
例えば、中間周波増幅器１２０、映像検波器１２１、発振回路１２２、フィルタ１２３、映像増幅器１２４、ＦＭ混合器１２５、ＦＭ用局部発振回路１２６、スイッチ１２７、フィルタ１２８、およびＦＭ検波器１２９のうち、少なくとも２つの回路（構成要素）は、ＩＣチップ上に集積化されている。
本実施形態では、中間周波増幅器１２０、映像検波器１２１、発振回路１２２、フィルタ１２３、映像増幅器１２４、ＦＭ混合器１２５、ＦＭ用局部発振回路１２６、スイッチ１２７、フィルタ１２８、およびＦＭ検波器１２９が、ＩＣチップ上に集積化されている。
【００３８】
映像検波器１２１は本発明に係る第１の検波回路の一例に相当し、発振回路１２２は本発明に係る第１の発振回路の一例に相当し、ＦＭ混合器１２５は本発明に係る変換回路の一例に相当し、ＦＭ用局部発振回路１２６は本発明に係る第２の発振回路の一例に相当し、スイッチ１２７は本発明に係る切替回路の一例に相当し、フィルタ１２８およびＦＭ検波器１２９は本発明に係る第２の検波回路の一例に相当する。
【００３９】
中間周波増幅器１２０は、例えばフィルタ１３から端子Ｔ５を介して入力された周波数５４．２５ＭＨｚの音声中間周波信号、および周波数５８．７５ＭＨｚの映像中間周波信号を増幅して、映像検波器１２１に出力する。
【００４０】
映像検波器１２１は、フィルタ１３から端子Ｔ５，中間周波増幅器１２０を介して入力された、周波数５４．２５ＭＨｚの音声中間周波信号、および周波数５８．７５ＭＨｚの映像中間周波信号を、発振回路１２２による発振信号により同期検波を行い、映像信号、および第２音声中間周波信号を生成して出力する。
また、映像検波器１２１は、テレビジョン放送信号受信時には、生成した映像信号をフィルタ１２３に出力し、周波数４．５ＭＨｚの第２音声中間周波信号をスイッチ（ＳＷ）１２７を介して、フィルタ１２８に出力する。
また、映像検波器１２１は、例えばＰＬＬ同期検波方式等の検波により映像信号を検波する。
【００４１】
発振回路１２２は、映像検波器１２１が検波する際の基準となる、テレビジョン放送信号検波用の発振信号を生成する。例えば発振回路１２２は、電圧制御発振器（ＶＣＯ）の出力と映像中間周波信号の搬送波とを位相検波器で比較する位相ロックループ（ＰＬＬ）を含み、所定の発振信号を生成して映像検波器１２１に出力する。
【００４２】
フィルタ１２３は、映像検波器１２１から出力された映像信号から不要な成分を除去して映像増幅器１２４に出力する。例えばフィルタ１２３は、例えば所定の周波数よりも高周波成分をカットし、低周波成分を通過させるローパスフィルタである。
【００４３】
映像増幅器１２４は、フィルタ１２３から出力された映像信号を増幅して出力する。例えば映像増幅器１２４は、端子Ｔａに接続された不図示の映像処理回路や表示装置に映像信号を出力する。
【００４４】
ＦＭ混合器１２５は、例えばフィルタ１３から端子Ｔ６を介して入力された音声中間周波信号を、ＦＭ用局部発振回路１２６により生成された発振信号を基に、所定周波数の第２音声中間周波信号を生成し、スイッチ１２７を介してフィルタ１２８に出力する。
例えば、ＦＭ混合器１２５は、周波数５４．２５ＭＨｚの音声中間周波信号と、ＦＭ用局部発振回路１２６により生成された５８．７５ＭＨｚの発振信号とを基に混合して、周波数４．５ＭＨｚの第２音声中間周波信号を生成する。
【００４５】
ＦＭ用局部発振回路１２６は、ＦＭ混合器１２５に第２音声中間周波信号に変換させるための、ＦＭ放送信号検波用の発振信号を生成し、生成した信号をＦＭ混合器１２５に出力する。
【００４６】
スイッチ１２７は、テレビジョン放送信号受信時には、映像検波器１２１が生成した第２音声中間周波信号をフィルタ１２８を介してＦＭ検波器１２９に出力し、ＦＭ放送信号受信時には、ＦＭ混合器１２５が生成した第２音声中間周波信号をフィルタ１２８を介してＦＭ検波器１２９に出力する。
【００４７】
例えば、スイッチ１２７は、映像検波器１２１の出力端に接続された端子１２７ａと、ＦＭ混合器１２５の出力端に接続された端子１２７ｂと、フィルタ１２８に接続された端子１２７ｃを有し、テレビジョン放送信号受信時には端子１２７ａと端子１２７ｃを接続し、ＦＭ放送信号受信時には端子１２７ｂと端子１２７ｃとを接続する。
スイッチ１２７は、例えばトランジスタ等により実現される。
【００４８】
フィルタ１２８は、スイッチ１２７を介して入力された第２音声中間周波信号から不要な周波数成分を除去し、ＦＭ検波器１２９に出力する。
フィルタ１２８は、例えば第２音声中間周波信号から、周波数４．５ＭＨｚ付近の周波数成分を通過させ、その他の成分をカットするバンドパスフィルタである。
【００４９】
ＦＭ検波器１２９は、フィルタ１２８を介して入力された第２音声中間信号をＦＭ検波して音声信号を生成し、生成した音声信号を出力する。また、ＦＭ検波器１２９は、生成した音声信号を端子Ｔｂを介して、不図示の音声処理回路や発音装置に出力する。
ＦＭ検波器１２９は、例えば電圧御発振回路（ＶＣＯ）により生成された４．５ＭＨｚの局部発振信号と、第２音声中間周波信号に基づいて、位相ロックループを用いた直交位相検波を行う。また、ＦＭ検波器１２９は、所定のＦＭ検波方式により検波してもよい。
【００５０】
以上の構成の動作を説明する。
テレビジョン放送信号受信時には、スイッチ１２７は、映像検波器１２１とフィルタ１２８とを接続状態に、ＦＭ混合器１２５とフィルタ１２８とを非接続状態に設定する。詳細には例えばスイッチ１２７は、端子１２７ａと端子１２７ｃとを接続し、端子１２７ｂと端子１２７ｃとを非接続状態に設定する。また、テレビジョン放送信号受信時には、ＦＭ用局部発振回路１２６は信号を発振しない。
【００５１】
テレビジョン放送信号受信時には、高周波増幅器１１１は、アンテナＡＮＴから端子Ｔ１を介して入力された、テレビジョン放送信号のＲＦ信号を増幅して第１混合器１１２に出力し、第１混合器１１２により、第１局部発振回路１１３が生成する発振信号に応じて、所定の周波数の第１の中間周波信号に変換し、第１の中間周波信号を端子Ｔ２を介してフィルタ１１４に出力する。
フィルタ１１４は、第１混合器１１２から端子Ｔ２を介して入力された第１の中間周波信号から不要な周波数成分を排除し、所望の周波数のみを通過させて、端子Ｔ３を介して第２混合器１１５に出力し、第２混合器１１５は、フィルタ１１４から出力された第１の中間周波信号を、第２局部発振回路１１６から出力された第２の発振信号に応じて、第２の中間周波信号に変換して、その第２の中間周波信号を中間周波増幅器１１７に出力し、中間周波増幅器１１７は、第２混合器１１５から出力された第２の中間周波信号を増幅し、端子Ｔ４を介してフィルタ１３に出力する。
【００５２】
テレビジョン放送信号受信時には、フィルタ１３は、高周波回路１１から端子Ｔ４を介して出力された第２の中間周波信号を基に、周波数５４．２５ＭＨｚの音声中間周波信号、および周波数５８．７５ＭＨｚの映像中間周波信号を、端子Ｔ５を介して中間周波増幅器１２０に出力し、中間周波増幅器１２０は、その音声中間周波信号、および映像中間周波信号を増幅して、映像検波器１２１に出力する。
【００５３】
映像検波器１２１は、音声中間周波信号、および周波数５８．７５ＭＨｚの映像中間周波信号を、発振回路１２２による発振信号により同期検波を行い、映像信号、および周波数４．５ＭＨｚの第２音声中間周波信号を生成して出力する。
フィルタ１２３は、映像検波器１２１から出力された信号から、映像信号のみを通過させて映像増幅器１２４に出力し、映像増幅器１２４はその信号を増幅して端子Ｔａを介して出力する。
【００５４】
また、フィルタ１２８は、映像検波器１２１からスイッチ１２７を介して出力された、４．５ＭＨｚの第２音声中間周波信号から、４．５ＭＨｚ付近以外の不要な周波数成分を除去した信号をＦＭ検波器１２９に出力し、ＦＭ検波器１２９は、フィルタ１２８を介して入力された第２音声中間信号をＦＭ検波して音声信号を生成し、生成した音声信号を端子Ｔｂを介して、不図示の音声処理回路や発音装置に出力する。
【００５５】
ＦＭ放送信号受信時には、スイッチ１２７は、ＦＭ混合器１２５とフィルタ１２８とを接続状態に、映像検波器１２１とフィルタ１２８とを非接続状態に設定する。詳細には例えばスイッチ１２７は、端子１２７ｂと端子１２７ｃとを接続し、端子１２７ａと端子１２７ｃとを非接続状態に設定する。
また、ＦＭ放送信号受信時には、中間周波増幅器１２０、映像検波器１２１、フィルタ１２３、映像増幅器１２４等の映像信号処理系の構成要素は、動作を停止する。
【００５６】
ＦＭ放送信号受信時には、高周波増幅器１１１は、アンテナＡＮＴから端子Ｔ１を介して入力された、ＦＭ放送信号のＲＦ信号を増幅して第１混合器１１２に出力し、第１混合器１１２により、第１局部発振回路１１３が生成する発振信号に応じて、所定の周波数の第１の中間周波信号に変換し、第１の中間周波信号を端子Ｔ２を介してフィルタ１１４に出力する。
フィルタ１１４は、第１混合器１１２から端子Ｔ２を介して入力された第１の中間周波信号から不要な周波数成分を排除し、所望の周波数のみを通過させて、端子Ｔ３を介して第２混合器１１５に出力し、第２混合器１１５は、フィルタ１１４から出力された第１の中間周波信号を、第２局部発振回路１１６から出力された第２の発振信号に応じて、第２の中間周波信号に変換して、その第２の中間周波信号を中間周波増幅器１１７に出力し、中間周波増幅器１１７は、第２混合器１１５から出力された第２の中間周波信号を増幅し、端子Ｔ４を介してフィルタ１３に出力する。
この高周波回路１１から出力される音声中間周波信号の周波数は、ＦＭ放送信号受信時、テレビジョン放送信号受信時とも同一の周波数である。
【００５７】
ＦＭ放送信号受信時には、フィルタ１３は、高周波回路１１から端子Ｔ４を介して出力された第２の中間周波信号を基に、周波数５４．２５ＭＨｚの音声中間周波信号、端子Ｔ６を介してＦＭ混合器１２５に出力する。
【００５８】
ＦＭ混合器１２５は、周波数５４．２５ＭＨｚの音声中間周波信号と、ＦＭ用局部発振回路１２６により生成された５８．７５ＭＨｚの発振信号とを基に混合して、周波数４．５ＭＨｚの第２音声中間周波信号を生成し、スイッチ１２７を介してフィルタ１２８に出力する。
フィルタ１２８は、その第２音声中間周波信号から不要な周波数成分を除去し、ＦＭ検波器１２９に出力し、ＦＭ検波器１２９は、フィルタ１２８を介して入力された第２音声中間信号をＦＭ検波して音声信号を生成し、生成した音声信号を端子Ｔｂを介して、不図示の音声処理回路や発音装置に出力する。
【００５９】
以上説明したように、テレビジョン放送信号またはＦＭ放送信号を基に中間周波信号を生成する高周波回路１１と、テレビジョン放送信号受信時には、高周波回路１１が生成した中間周波信号のうち映像中間周波信号および第１の音声中間周波信号を端子Ｔ５に出力し、ＦＭ放送信号受信時には、中間周波信号のうち第１の音声中間周波信号を端子Ｔ６に出力するフィルタ１３と、中間周波回路１２には、テレビジョン放送信号検波用の第１の発振信号を生成する発振回路１２２と、第１混合器１１２が生成した第１の発振信号を基に、フィルタ１３から端子Ｔ５を介して出力された、映像中間周波信号および第１の音声中間周波信号に第１の検波処理を施して、映像信号および周波数４．５ＭＨｚの第２の音声中間周波信号を生成する映像検波器１２１と、ＦＭ放送信号検波用の第２の発振信号を生成するＦＭ用局部発振回路１２６と、ＦＭ用局部発振回路１２６が生成した第２の発振信号を基に、フィルタ１３から端子Ｔ６を介して出力された第１の音声中間周波信号を周波数４．５ＭＨｚの第２の音声中間周波信号に変換するＦＭ混合器１２５と、テレビジョン放送信号受信時には、映像検波器１２１が生成した第２の音声中間周波信号を出力し、ＦＭ放送信号受信時には、ＦＭ混合器１２５から出力された第２の音声中間周波信号を出力するスイッチ１２７と、スイッチ１２７から出力された第２の音声中間周波信号にＦＭ検波処理を施して音声信号を生成するＦＭ検波器１２９とを設けたので、テレビジョン放送信号の映像信号および音声信号、ならびにＦＭ放送信号の音声信号を出力できるチューナモジュールを提供することができる。
【００６０】
また、テレビジョン放送信号受信時には、端子Ｔ５から入力された中間周波信号を処理する、中間周波増幅器１２０、映像検波器１２１、発振回路１２２、フィルタ１２３、映像増幅器１２４、フィルタ１２８、およびＦＭ検波器１２９により映像信号および音声信号を検波し、ＦＭ放送信号受信時には、端子Ｔ６から入力された音声中間周波信号を処理する、ＦＭ混合器１２５と、ＦＭ用局部発振回路１２６と、上記テレビジョン放送信号処理系と共通のフィルタ１２８およびＦＭ検波器１２９により音声信号を検波するので、例えば共通化したフィルタ１２８、ＦＭ検波器１２９を共通化した分、チューナモジュールを小型化することができる。
【００６１】
また、ＦＭ放送信号受信用の発振信号を生成するＦＭ用局部発振回路１２６と、ＦＭ用局部発振回路１２６による発振信号を基に、高精度な周波数４．５ＭＨｚの第２音声中間周波数を生成するＦＭ混合器１２５を設けたので、例えばテレビジョン放送信号受信用の発振回路が生成する信号に応じた略４．５ＭＨｚの信号により第２音声中間周波数を生成する受信装置と比べて、音声歪率、音声Ｓ／Ｎ等が高性能である。
【００６２】
また、高周波回路１１は、ＦＭ放送信号またはテレビジョン放送信号を基に、当該ＦＭ放送信号およびＴＶ放送信号よりも高い周波数、例えばＳＨＦ帯の第１の中間周波信号に変換し、フィルタ１１４、第２局部発振回路１１６、および第２混合器１１５により、第１の中間周波信号にイメージ除去処理を施して、第１の中間周波信号よりも低い周波数の第２の中間周波信号を生成するので、例えば、インダクタとして空芯コイル等を用いていないので、小型化することができる。
【００６３】
また、ＦＭ放送信号受信時とテレビジョン放送受信時とで、ＦＭ検波器１２９およびＦＭ検波器１２９を共通化しているので、チューナモジュールを小型化することができる。
【００６４】
図２（Ａ）は独立したＦＭ放送受信用回路とテレビジョン放送受信用とを備えるチューナモジュールの一具体例を示す斜視図。図２（Ｂ）は、図１に示した本実施形態に係るチューナモジュールの一実施形態を示す斜視図である。
本実施形態に係るチューナモジュール１は、例えば図２（Ｂ）に示すように、例えば外からの電磁波を内部の回路に対して遮蔽し、かつ内部の回路からの電磁波を外部に対して遮蔽する電磁シールドカバー１００により覆われている。
本実施形態に係るチューナモジュール１は、上述したようにＦＭ放送信号受信時とテレビジョン放送受信時とで、ＦＭ検波器１２９およびＦＭ検波器１２９を共通化しており、またインダクタとして空芯コイル等を用いていないので、例えば図２（Ａ）に示すような、独立したＦＭ放送受信用回路とテレビジョン放送受信用とを備えるチューナモジュール１ｚと比べて、小型化、薄型化することができる。
【００６５】
例えば具体的には、例えば図２（Ａ）に示すチューナモジュール１ｚは、直方体形状の長手方向の長さＬｚが１００ｍｍ、短手方向の長さＳｚが４５ｍｍ、厚さｈｚが１５ｍｍの大きさであるのと比べて、本実施形態に係るチューナモジュール１は、例えば図２（Ｂ）に示すように、直方体形状の長手方向の長さＬが２５ｍｍ、短手方向の長さＳが２０ｍｍ、厚さｈが２．８ｍｍ程度の大きさである。
このため、本実施形態に係るチューナモジュール１を、携帯電話等の小型のモバイル装置（携帯型情報処理装置）に搭載することができ、携帯型情報処理装置において、テレビジョン放送信号およびＦＭ放送信号を受信することができる。
【００６６】
図３は、図１に示したチューナモジュールを含む受信装置を採用した電子機器の一実施形態を示す機能ブロック図である。
チューナモジュール１を含む受信装置２００を採用した電子機器３００は、例えば図３に示すように、チューナモジュール１、ビデオプロセッサおよびドライバ２１、オーディオプロセッサおよびドライバ２２、シリアルディジタルインタフェース２３、バイアスおよび制御ロジック回路２４、および周波数基準２５を有する。
例えば、電子機器３００は、テレビジョン放送信号とＦＭ放送信号の両方の放送電波信号を受信可能な、携帯電話やＰＤＡ（Personal Digital Assistant）等の携帯型情報処理装置（モバイル装置）である。
【００６７】
チューナモジュール１は、例えば図１に示したように、高周波回路１１、映像処理系回路１２０１、音声処理系回路１２０２、スイッチ１２７等を主構成要素として有する。
映像処理系回路１２０１は、例えば図１に示した、中間周波増幅器１２０、映像検波器１２１、発振回路１２２、フィルタ１２３、および映像増幅器１２４に相当する。
音声処理系回路１２０２は、例えば図１に示した、ＦＭ混合器１２５、ＦＭ用局部発振回路１２６、フィルタ１２８、およびＦＭ検波器１２９に相当する。
各構成要素は、上述したので説明を省略する。
【００６８】
ビデオプロセッサおよびドライバ２１は、例えばバイアスおよび制御ロジック回路２４の制御により、基準となるビデオ基準信号を基に、映像検波器１２１から出力された信号に映像処理、例えばデジタル化処理、増幅処理やフィルタ処理等を施して、不図示の映像処理回路に映像信号を出力する。
【００６９】
オーディオプロセッサおよびドライバ２２は、例えばバイアスおよび制御ロジック回路２４の制御により、基準となるオーディオ基準信号を基に、ＦＭ検波器１２９から出力された信号に音声処理、例えばデジタル化処理、増幅処理やフィルタ処理等を施して、不図示の音声処理回路に音声信号を出力する。
【００７０】
シリアルディジタルインタフェース２３は、例えばバイアスおよび制御ロジック回路２４の制御により、例えば他の構成要素と接続されたシリアルインタフェースバスを介して、例えばシリアルクロックを基準として、シリアルデータの送受信を行う。
【００７１】
バイアスおよび制御ロジック回路２４は、受信装置２００の構成要素の制御を行う。
具体的には、バイアスおよび制御ロジック回路２４は、内部バイアス電圧および電流を定めかつチューナモジュール１内の各回路のステータスおよび制御レジスタを保守する。
【００７２】
周波数基準２５は、例えば外部基準クリスタル（発振回路）に同期化される発振器である。また、周波数基準２５は、受信装置２００の各構成要素に基準となる周波数の信号を供給する。
【００７３】
以上、上述した受信装置２００において、周波数基準２５の信号を基準として、シリアルディジタルインタフェース２３を介して送受信されるデータを基に、バイアスおよび制御ロジック回路２４が受信装置２００の各構成要素を制御し、例えばチューナモジュール１の映像処理系回路１２０１から出力された信号が、ビデオプロセッサおよびドライバ２１によりデジタル化され映像信号として出力され、チューナモジュール１の音声処理系回路１２０２から出力された信号が、オーディオプロセッサおよびドライバ２２により、デジタル化され音声信号として出力される。
【００７４】
以上説明したように、本発明に係るチューナモジュール１を含む受信装置２００を採用した電子機器３００は、高周波回路１１と、中間周波回路１２に映像処理系回路１２０１と、ＦＭ放送信号受信時とテレビジョン放送信号受信時とで共通化された音声処理系回路１２０２とを設けたので、小型の電子機器３００にも、テレビジョン放送信号とＦＭ放送信号の両方の放送電波信号を受信可能なチューナモジュールを搭載することができる。
【００７５】
なお、本発明は本実施形態に限られるものではなく、任意好適な改変が可能である。
例えば、本実施形態に係る中間周波信号、音声中間周波信号、音声中間周波信号等の周波数は、上述した形態に限られるものではない。任意の周波数でよい。
また、上述した電磁シールドやチューナモジュール１の形状等は上述した形態や大きさは、上述した形態に限られるものではない。
【００７６】
また、フィルタ１３、映像検波器１２１、発振回路１２２、ＦＭ混合器１２５、ＦＭ用局部発振回路１２６、スイッチ１２７等の構成要素は、上述した形態に限られるものではない。
例えば、テレビジョン放送信号のうちの音声信号と、ＦＭ放送信号のうちの音声信号は、ＦＭ混合器１２５を介して処理するセパレート方式でもよい。以下、図面を参照しながら、説明する。
【００７７】
図４は、本発明に係る電子機器のチューナモジュールの他の実施形態の機能ブロック図である。
図１に示したチューナモジュール１との相違点を中心に説明する。
例えば図４に示すチューナモジュール１ａは、高周波回路１１、中間周波回路１２ａ、およびフィルタ１３ａを有する。
【００７８】
中間周波回路１２ａは、中間周波増幅器１２０ａ、映像検波器１２１ａ、発振回路１２２ａ、フィルタ１２３、映像増幅器１２４、ＦＭ混合器１２５ａ、ＦＭ用局部発振回路１２６ａ、スイッチ１２７１、フィルタ１２８、およびＦＭ検波器１２９を有する。
【００７９】
フィルタ１３ａは、テレビジョン放送信号受信時には、例えば高周波回路１１から端子Ｔ４を介して出力された中間周波信号を基に、例えば周波数５８．７５ＭＨｚの映像中間周波信号を、端子Ｔ５を介して中間周波回路１２の中間周波増幅器１２０に出力し、例えば周波数５４．２５ＭＨｚの音声中間周波信号を端子Ｔ６を介して中間周波回路１２の中間周波増幅器１２０に出力する。
【００８０】
フィルタ１３ａは、ＦＭ放送信号受信時には、例えば高周波回路１１から端子Ｔ４を介して出力された中間周波信号を基に、周波数５４．２５ＭＨｚの音声中間周波信号を、端子Ｔ６を介して中間周波回路１２のＦＭ混合器１２５に出力する。
【００８１】
スイッチ１２７１は、テレビジョン放送信号受信時およびＦＭ放送信号受信時共に、端子１２７ｂと端子１２７ｃが接続されている。
【００８２】
中間周波増幅器１２０は、フィルタ１３ａから端子Ｔ５を介して入力された、周波数５４．２５ＭＨｚの音声中間周波信号、および周波数５８．７５ＭＨｚの映像中間周波信号を増幅して、映像検波器１２１に出力する。
【００８３】
テレビジョン放送信号受信時には、発振回路１２２ａは、映像検波器１２１ａおよびＦＭ混合器１２５ａに発振信号を供給する。
映像検波器１２１ａは、フィルタ１３ａから入力された映像中間周波信号を検波して映像信号を生成し、映像信号をフィルタ１２３に出力する。
また、テレビジョン放送信号受信時には、ＦＭ混合器１２５ａは、端子Ｔ６を介して入力された音声中間周波信号を、発振回路１２２ａによる発振信号を基に、例えば４．５ＭＨｚの第２音声中間周波信号に変換し、スイッチ１２７を介してフィルタ１２８に出力する。
【００８４】
ＦＭ放送信号受信時には、発振回路１２２ａは例えば機能を停止し、ＦＭ用局部発振回路１２６はＦＭ混合器１２５ａにＦＭ放送検波用の発振信号を出力する。
ＦＭ放送信号受信時には、ＦＭ混合器１２５ａは、端子Ｔ６を介して入力された音声中間周波信号を、ＦＭ用局部発振回路１２６から入力された発振信号を基に、例えば４．５ＭＨｚの第２音声中間周波信号に変換し、スイッチ１２７を介してフィルタ１２８に出力する。
【００８５】
以上説明したように、フィルタ１３ａによりテレビジョン放送信号の映像中間周波信号と音声中間周波信号を分離し、その音声中間周波信号をＦＭ混合器１２５ａにより第２の音声中間周波信号に変換して処理してもよい。
【００８６】
また、映像検波器の検波方式や、ＦＭ検波器１２９の検波方式は上述した形態に限られるものではない。
【産業上の利用可能性】
【００８７】
本発明に係るチューナモジュールおよび電子機器を、例えば、携帯電話やＰＤＡ等の小型の携帯型情報処理装置（モバイル装置）に適用することができる。
【図面の簡単な説明】
【００８８】
【図１】本発明に係る電子機器のチューナモジュールの一実施形態の機能ブロック図である。
【図２】（Ａ）は独立したＦＭ放送受信用回路とテレビジョン放送受信用とを備えるチューナモジュールの一具体例を示す斜視図である。（Ｂ）は、図１に示した本実施形態に係るチューナモジュールの一実施形態を示す斜視図である。
【図３】図１に示したチューナモジュールを含む受信装置を採用した電子機器の一実施形態を示す機能ブロック図である。
【図４】本発明に係る電子機器のチューナモジュールの他の実施形態の機能ブロック図である。
【符号の説明】
【００８９】
１…チューナモジュール、１１…高周波回路、１２…中間周波回路、１３…フィルタ、１１１…高周波増幅器、１１２…第１混合器、１１３…第１局部発振回路、１１４…バンドパスフィルタ、１１５…第２混合器、１１６…第２局部発振回路、１１７…中間周波増幅器、１２０…中間周波増幅器、１２１…映像検波器、１２２…発振回路、１２３…フィルタ、１２４…映像増幅器、１２５…ＦＭ混合器、１２６…ＦＭ用局部発振回路、１２７…スイッチ（ＳＷ）、１２８…フィルタ、１２９…ＦＭ検波器、２００…受信装置、３００…電子機器。
【図１】
2005277912.tif 000003
【図２】
2005277912.tif 000004
【図３】
2005277912.tif 000005
【図４】
2005277912.tif 000006